(57)【要約】【課題】　伸縮式階段状観覧席の昇降ステップを形成するに際し、手作業が不要で安全な構造を提供する。【解決手段】　本発明は、昇降装置がリンク支点軸をほぼ中心としてたすき状に交差させた２個のリンクを平行に一対配設し、前記各リンク上端に方形板状の踏み板を載置し、前記各リンク後側先端部は前記踏み板下面に支持材により固着された上部固定軸及び底板上面に支持材により固着された下部固定軸とによって軸支され、前記各リンク前側先端部は前記踏み板下面に上部可動軸及び前記底板上面に下部可動軸が水平方向にのみ摺動可能に設けられ、前記リンク支点軸及び底板上面に固着されたスプリング支持具間にスプリングを張設し、駆動装置による横渡しステップの水平方向への張り出し又は後退に連動する前記下部可動軸に連設するストッパー支持腕先端に固着されたストッパーのストッパー受け材との当接又は離隔により前記各リンクを上昇又は下降可能としたことを特徴とする。【選択図】　図５
2004137890.tif 000002
【特許請求の範囲】
【請求項１】
　昇降装置がリンク支点軸をほぼ中心としてたすき状に交差させた２個のリンクを平行に一対配設し、前記各リンク上端に方形板状の踏み板を載置し、前記各リンク後側先端部は前記踏み板下面に支持材により固着された上部固定軸及び底板上面に支持材により固着された下部固定軸とによって軸支され、前記各リンク前側先端部は前記踏み板下面に上部可動軸及び前記底板上面に下部可動軸が水平方向にのみ摺動可能に設けられ、前記リンク支点軸及び底板上面に固着されたスプリング支持具間にスプリングを張設し、駆動装置による横渡しステップの水平方向への張り出し又は後退に連動する前記下部可動軸に連設するストッパー支持腕先端に固着されたストッパーのストッパー受け材との当接又は離隔により前記各リンクを上昇又は下降可能としたことを特徴とする伸縮式階段状観覧席用踏み段構造。
【請求項２】
　請求項１に記載の伸縮式階段状観覧席用踏み段構造において、ストッパーが下部可動軸の前方に連設するストッパー支持腕先端に固着されていることを特徴とする伸縮式階段状観覧席用踏み段構造。
【請求項３】
　請求項１に記載の伸縮式階段状観覧席用踏み段構造において、ストッパーが下部可動軸に後方に連設するストッパー支持腕先端に固着されていることを特徴とする伸縮式階段状観覧席用踏み段構造。
【発明の詳細な説明】
【技術分野】
【０００１】　本発明は、ホール、体育館等に設置される伸縮式階段状観覧席端部に用いられる踏み段構造に関する。
【背景技術】
【０００２】　従来の階段状に高さが異なる複数の座跳ね上げ式椅子付床台を順次高さを増すように相互に連結し、前後に伸縮移動可能に配設した伸縮式階段状観覧席において、建物構造上より隣接する伸縮式階段状観覧席間に建築柱材が入った場合又は建物壁面に設けられている出入り口前に隣接して設置された場合等に踊り場が必要となることがあった。このような場合には、隣接する観覧席床台間に跨がる着脱可能な横渡し板を手作業にて載置するか、観覧席床台の端部に蝶番により固着された横渡し板を手作業により隣接する観覧席床台間に跨がらせるか出入り口前に水平に広げて対処していた。又、横渡し板だけでは、階段の高さが高い場合には横渡し板上に直方体状の踏み台を手作業により載置して対処していた。
【発明の開示】
【発明が解決しようとする課題】
【０００３】　これらの場合、手作業で手間がかかり、しかも小人数や高所作業であるため安全面の懸念があった。本発明は、これらの手作業が不要で安全面の懸念が全くない自動的に横渡しステップの張り出し又は後退、昇降ステップの上昇又は下降可能とした伸縮式階段状観覧席用踏み段構造を得ることを目的とする。
【課題を解決するための手段】
【０００４】　昇降装置がリンク支点軸をほぼ中心としてたすき状に交差させた２個のリンクを平行に一対配設し、前記各リンク上端に方形板状の踏み板を載置し、前記各リンク後側先端部は前記踏み板下面に支持材により固着された上部固定軸及び底板上面に支持材により固着された下部固定軸とによって軸支され、前記各リンク前側先端部は前記踏み板下面に上部可動軸及び前記底板上面に下部可動軸が水平方向にのみ摺動可能に設けられ、前記リンク支点軸及び底板上面に固着されたスプリング支持具間にスプリングを張設し、駆動装置による横渡しステップの水平方向への張り出し又は後退に連動する前記下部可動軸に連設するストッパー支持腕先端に固着されたストッパーのストッパー受け材との当接又は離隔により前記各リンクを上昇又は下降可能としたことを特徴とする伸縮式階段状観覧席用踏み段構造。
【発明の効果】
【０００５】本発明によれば、手作業が不要で安全面の懸念が全くなく自動的に横渡しステップの張り出し又は後退が可能で、さらに必要に応じて昇降ステップの上昇又は下降を可能とした伸縮式階段状観覧席用踏み段構造であって、建物構造上より隣接する伸縮式階段状観覧席間に建築柱材が入った場合又は建物壁面に設けられている出入り口前に隣接して設置された場合等に踏み段として有用である。
【発明を実施するための最良の形態】
【０００６】　本発明を実施するための最良の形態を、以下、図面を参照しつつ説明する。
　本発明の実施例を図面を参照して説明する。図１は、本発明の伸縮式階段状観覧席用踏み段構造の一実施例の概略説明図で（ａ）横渡しステップの収納時（ｂ）横渡しステップ張り出し時（ｃ）昇降ステップの上昇時を示す。図２は、本発明の伸縮式階段状観覧席用踏み段構造の他の一実施例の概略説明図で（ａ）横渡しステップの収納時（ｂ）横渡しステップ張り出し時（ｃ）昇降ステップの上昇時を示す。図３は、図１の伸縮式階段状観覧席用踏み段構造の一実施例の作動を示す概略説明図である。図４は、本発明の伸縮式階段状観覧席用踏み段構造に用いる駆動装置の一実施例で（ａ）平面図（ｂ）正面図（ｃ）側面図を示す。図５は、本発明の伸縮式階段状観覧席用踏み段構造に用いる昇降装置の一実施例の作動（ａ）〜（ｄ）を示す概略説明図である。図６は、本発明の伸縮式階段状観覧席用踏み段構造に用いる昇降装置の他の実施例の作動（ａ）〜（ｄ）を示す概略説明図である。【０００７】　図１は、左右隣接する伸縮式階段状観覧席１Ｌ、１Ｒの間に建築柱材８が設けられた場合に用いられる踏み段構造の概略説明図である。図１（ａ）においては、格納所（図示省略）から展開された階段状に高さが異なる複数の座跳ね上げ式椅子５付床台４Ｌ、２Ｌを順次高さを増すように相互に連結し前後に伸縮移動可能に配設した伸縮式階段状観覧席１Ｌの床台４Ｌの最端部底面にブラケット（図示省略）を介して直方体状の横渡しステップ６を収納している。椅子５と床台４Ｌ間には起立転倒装置を内蔵した化粧箱３Ｌが設けられている。伸縮式階段状観覧席１Ｌに建築柱材８を間に挟んで隣接する床台４Ｒ及び２Ｒ、化粧箱３Ｒ等で示す伸縮式階段状観覧席１Ｒが並列に設置されている。次に、図１（ｂ）においては、横渡しステップ６を後述する駆動装置により水平方向Ｘに張り出し、床台４Ｒの最端部底面に一部重なる状態に保持される。さらに、階段の高さが高い場合、図１（ｃ）においては、横渡しステップ６の前端部内に直方体状の昇降ステップ７を内蔵し、横渡しステップ６の水平方向Ｘへの張り出し中に昇降ステップ７を横渡しステップ６上面よりこれと垂直方向Ｙに上昇する。伸縮式階段状観覧席１Ｌは使用後、前記と逆の動作により、図１（ａ）の状態に戻り、その後格納所（図示省略）に収納される。【０００８】　図２は、建物壁面に設けられている出入り口９前に隣接して置かれた伸縮式階段状観覧席１Ｌに用いられる踏み段構造の概略説明図である。図２（ａ）においては、前記した図１（ａ）における隣接の伸縮式階段状観覧席１Ｒに代えて、建物出入り口９が設置されている。次に、図２（ｂ）においては、前記した図１（ｂ）と同様に横渡しステップ６を駆動装置により水平方向Ｘに張り出し、建物出入り口９底部に横渡しステップ６上面がレベルを合わせ接触する状態に保持される。
　さらに、建物出入り口９の位置がずれている場合、図２（ｃ）に示す横渡しステップ６の側端部内（建物出入り口９の対向位置）に直方体状の昇降ステップ７を内蔵し、建物出入り口９底部に昇降ステップ７上面のレベルを合わせて、横渡しステップ６の水平方向Ｘへの張り出し中に昇降ステップ７を横渡しステップ６上面よりこれと垂直方向Ｙに上昇する。伸縮式階段状観覧席１Ｌは使用後、前記と逆の動作により、図２（ａ）の状態に戻り、その後格納所（図示省略）に収納される。【０００９】　図４について、横渡しステップ６及び駆動装置２０について説明する。横渡しステップ６は、床台４Ｌに固着された２個のコ字形の固定板ブラケット２７、２７水平面上に、開口部上向きで方形底面を水平に置き固着された断面コ字形固定板１０と、固定板１０と向合って開口部下向きで上面を水平に置かれたスライド板１１とを有し、スライド板１１の水平下面両端部にＬ型のローラー支持ブラケット２６、２６を水平方向Ｘに間隔を置いて５か所固着し、ローラー支持ブラケット２６、２６の垂直部に回動可能なローラー１９、１９を５か所で軸支している。固定板１０の両端部の垂直方向立上がり部に間隔を置いて水平方向Ｘに伸びる一対の溝ガイド１８、１８の溝を対向して固着し、溝ガイド１８、１８の溝の対向する間隙にローラー１９、１９が嵌入され水平方向Ｘ及びＺに摺動可能とされている。駆動装置２０は、固定板１０の水平方向Ｚ側末端中央部底面に駆動源として電動機１２を固着し、そのローター側にカップリング１３を介して水平方向Ｘに伸び周囲に雄ねじを螺設したスクリュウシャフト１４が固定板１０の水平方向Ｘ側端末の中央部底面に固着された軸受１５で軸支され、電動機１２の回動により正逆回転可能とされ、中央部に雌ねじを貫通螺設した直方体状の可動ユニット１６の上面を固着した取付け板１７をスライド板１１の水平下面に固着し、可動ユニット１６の雌ねじをスクリュウシャフト１４の雄ねじに螺合し、電動機１２の正逆回転回動により可動ユニット１６を水平方向Ｘ（横渡しステップ６の張り出し方向）及びＺ（横渡しステップ６の後退方向）に摺動可能とした構造とされている。【００１０】　横渡しステップ６の水平方向Ｘ前側は横渡しステップ前板２２で閉塞されているが、ほぼ中心部に先端に向かってが細く尖った形状の受け金２５が突設され、隣接する伸縮式階段状観覧席の床台下に設けられた横渡しステップ受け板２３の横渡しステップ開口部２４に嵌着可能とされている。又、横渡しステップ前板２２の端部に後記する昇降ステップの先端の円錐形のストッパー２１が水平方向Ｘに突出可能なように、開口したストッパー受け材４２が設けられている。駆動装置２０には、駆動源として本実施例の電動機１２に代えて、油圧を用いてもよく、又スクリュウシャフトを駆動源と一体としたパワーシリンダー等を用いてもよい。【００１１】　図４及び図５について、昇降ステップ及び昇降装置について説明する。横渡しステップ６のスライド板１１の前端部内に直方体状の昇降ステップ７が内蔵されている。昇降ステップ７は、方形の板状の踏み板２９とこれを支持する支持装置３０とスライド板１１下面に固着された２個のコ字形の昇降ステップブラケット２８、２８に支持固着された底板４３よりなっている。支持装置３０は、リンク支点軸３７をほぼ中心としてたすき状に交差させたリンク３１、３２を水平方向Ｘと垂直方向に平行に一対設けてある。水平方向Ｘより見て後側のリンク３１先端部は踏み板２９下面に支持材により固着した上部固定軸３３と、後側のリンク３２先端部は底板４３上面に支持材により固着した下部固定軸３４によって軸支されており各軸に対し回動可能とされている。一方、水平方向Ｘより見て前側のリンク３１先端部には下部可動軸３６が固着され、水平方向Ｘ及びＺには摺動可能であるが、上下方向には移動できないように底板４３上面にガイド（図示省略）が設けられ、前側のリンク３２先端部には上部可動軸３５が固着され、水平方向Ｘ及びＺに摺動可能であるが、上下方向には移動できないように踏み板２９下面にガイド（図示省略）が設けられている。リンク３１、３２が最も畳まれた状態にあっては、上部固定軸３３及び上部可動軸３５上の踏み板２９はスライド板１１と面一に保持されている。【００１２】　平行な一対のリンク３１、３２間に各先端部以外の部分でリンク支点軸３７の前後中間位置に補強材を渡すのが補強上望ましく、又底板４３上面にリンク３１、３２が上限下限位置を超えないように安全のための停止装置を設けるのが望ましい（図示省略）。リンク支点軸３７及び底板４３上面に固着されたスプリング支持具３９、４０間にスプリング３８を張設してある。下部可動軸３６の先端に水平方向Ｘに突出するストッパー支持腕４１の先端に一対のリンク３１、３２間の中心延長線上に円錐形のストッパー２１が設けられている。【００１３】　図６について、昇降ステップ及び昇降装置の他の実施例について説明する。図５について説明した昇降ステップ及び昇降装置と共通の構成については、同一符号で示し説明を省略する。下部可動軸３６から水平方向Ｚに延び下部固定軸３４を過ぎて垂直に曲りスライド板１１面より突出するストッパー支持腕４６を設け、支持腕４６の上部に水平方向Ｘに向けて突出するストッパー４４が設けられ、支持腕４６は下部可動軸３６の移動によって水平方向Ｘ及びＺに可動とされている。床台４Ｌの水平方向Ｘ側端末付近にストッパー受け材４５がストッパー４４先端に当接するように固着配設されている。【００１４】　次に、前記実施例の動作について説明する。図３において、前端部内に昇降ステップ７を収納した横渡しステップ６は、右側２点鎖線の待機位置から、駆動装置により矢印Ｘ方向に移動し実線で示す使用位置に到達し、先ずストッパー受け材４２にストッパー２１が当接し昇降ステップ７が突出開始し、ついで横渡しステップ受け板２３に穿設された横渡しステップ開口部２４に受け金２５が嵌着して横渡しステップ６の移動が停止するまでの間に昇降ステップ７の上昇が完了する。図４において、２点鎖線のＰ、Ｐ及びＱ、Ｑ線が隣接する伸縮式階段状観覧席の端面位置を示し、横渡しステップ６は電動機１２を回転して最も水平方向Ｘに張り出した位置を示しているが、電動機１２をこの張り出し位置から逆回転すると、横渡しステップ６は水平方向Ｘと逆のＺ方向に後退し、Ｑ、Ｑ線以内の位置で停止する。電動機１２の回転開始又は停止の信号は、横渡しステップ６の前進後退と連動する移動片と固定板１０上面に配設されたリミットスイッチ（図示省略）の接触による検知によって行っている。【００１５】　図５において、前端部内に昇降ステップ７を収納した横渡しステップ６は、（ａ）に示す床台４Ｌの下部待機位置にあり、支持装置３０のリンク３１、３２は畳まれた状態にあって、上部固定軸３３及び上部可動軸３５上の踏み板２９はスライド板１１と面一に保持されている。次いで、（ｂ）に示す位置に達し、ストッパー受け材４２にストッパー２１が当接すると、ストッパー２１に連なるストッパー支持腕４１を介してリンク３１先端部の下部可動軸３６は水平方向Ｘの移動が停止するが、底板４３上のリンク３２先端部の下部固定軸３４は尚水平方向Ｘに移動を続け（ｃ）に示す位置に達し、一方リンク３１先端部の下部可動軸３６は水平方向Ｚの反力を受けるので、リンク支点軸３７を中心としてリンク３１、３２は垂直方向Ｙに立上がりを開始し、リンク３２の上部可動軸３５及びリンク３１の上部固定軸３３上の踏み板２９を垂直方向Ｙに上昇せしめる。【００１６】　さらに、下部固定軸３４は尚水平方向Ｘに移動を続け（ｄ）に示す位置に達すると、踏み板２９は最も突出した位置となり昇降ステップ７として、主として駆動装置２０のスクリュウシャフト１４と可動ユニット１６との摩擦によってロックされてその位置で保持され踏み段として使用に供される。スプリング支持具３９、４０間に張設されたスプリング３８はリンク支点軸３７の上昇に伴って引張りが強まった状態となり、伸縮式階段状観覧席１の使用済み後には、ストッパー受け材４２からストッパー２１が離れるとリンク３１、３２を垂直方向Ｙと逆方向の畳まれた状態に自動的に復元することが可能であり、その後は駆動装置２０の逆回転によって（ａ）に示す位置に復元することができる。【００１７】　図６において、前端部内に昇降ステップ７を収納した横渡しステップ６は、（ａ）に示す床台４Ｌの下部待機位置にあり、支持装置３０のリンク３１、３２は畳まれた状態にあって、上部固定軸３３及び上部可動軸３５上の踏み板２９はスライド板１１と面一に保持されている。次いで、（ｂ）に示す位置に達し、ストッパー受け材４５にストッパー４４が当接すると、ストッパー４４に連なるストッパー支持腕４６を介してリンク３１先端部の下部可動軸３６は水平方向Ｘの移動が停止するが、底板４３上のリンク３２先端部の下部固定軸３４は尚水平方向Ｘに移動を続け（ｃ）に示す位置に達し、一方リンク３１先端部の下部可動軸３６は水平方向Ｚの反力を受けるので、リンク支点軸３７を中心としてリンク３１、３２は垂直方向Ｙに立上がりを開始し、リンク３２の上部可動軸３５及びリンク３１の上部固定軸３３上の踏み板２９を垂直方向Ｙに上昇せしめる。さらに、下部固定軸３４は尚水平方向Ｘに移動を続け（ｄ）に示す位置に達すると、踏み板２９は最も上昇した位置となり昇降ステップ７として、主として駆動装置２０のスクリュウシャフト１４と可動ユニット１６との摩擦によってロックされてその位置で保持され踏み段として使用に供される。スプリング支持具３９、４０間に張設されスプリング３８は、前記図５に示す実施例と同様に作用し、（ａ）の位置への復元を助けることができる。
【図面の簡単な説明】
【００１８】
【図１】　本発明の伸縮式階段状観覧席用踏み段構造の一実施例の概略説明図で（ａ）横渡しステップの収納時（ｂ）横渡しステップ張り出し時（ｃ）昇降ステップの上昇時を示す。
【図２】　本発明の伸縮式階段状観覧席用踏み段構造の他の一実施例の概略説明図で（ａ）横渡しステップの収納時（ｂ）横渡しステップ張り出し時（ｃ）昇降ステップの上昇時を示す。
【図３】　図１の伸縮式階段状観覧席用踏み段構造の一実施例の作動を示す概略説明図である。
【図４】　本発明の伸縮式階段状観覧席用踏み段構造に用いる駆動装置の一実施例で（ａ）平面図（ｂ）正面図（ｃ）側面図を示す。
【図５】　本発明の伸縮式階段状観覧席用踏み段構造に用いる昇降装置の一実施例の作動（ａ）〜（ｄ）を示す概略説明図である。
【図６】　本発明の伸縮式階段状観覧席用踏み段構造に用いる昇降装置の他の実施例の作動（ａ）〜（ｄ）を示す概略説明図である。
【符号の説明】
１Ｌ、１Ｒ　伸縮式階段状観覧席
２Ｌ、２Ｒ、４Ｌ、４Ｒ　床台
５　椅子
６　横渡しステップ
７　昇降ステップ
８　建築柱材
９　建物出入り口
１０　固定板
１１　スライド板
１２　駆動源
１４　スクリュウシャフト
１５　軸受
１６　可働ユニット
１８　溝ガイド
１９　ローラー
２０　駆動装置
２１、４４　ストッパー
２２　横渡しステップ前板
２３　横渡しステップ受け板
２４　横渡しステップ開口部
２５　受け金
２９　踏み板
３０　昇降装置
３１、３２　リンク
３３　上部固定軸
３４　下部固定軸
３５　上部可動軸
３６　下部可動軸
３７　リンク支点軸
３８　スプリング
３９、４０　スプリング支持具
４１、４６　ストッパー支持腕
４２、４５　ストッパー受け材
４３　底板
Ｘ　横渡しステップ張り出し方向（水平方向）
Ｙ　昇降ステップ上昇方向（垂直方向）
Ｚ　横渡しステップ後退方向（水平方向）
Ｐ、Ｑ　伸縮式階段状観覧席の左右端面位置
【図１】
2004137890.tif 000003
【図２】
2004137890.tif 000004
【図３】
2004137890.tif 000005
【図４】
2004137890.tif 000006
【図５】
2004137890.tif 000007
【図６】
2004137890.tif 000008